【手続補正書】
【提出日】平成29年11月24日(2017.11.24)
【手続補正１】
【補正対象書類名】明細書
【補正対象項目名】００４５
【補正方法】変更
【補正の内容】
【００４５】
これまで、本発明についてそのいくつかの実施形態を参照して記載してきた。上記の詳細な説明及び実施例は、単に明確な理解を目的として示してきたものである。したがってこれらによって不要な限定をするものと理解されるべきではない。本明細書に引用した全ての特許及び特許出願は、参照により本明細書に組み込まれる。本発明の範囲から逸脱することなく、記載された実施形態において多くの変更を行い得ることは、当業者には明白となるであろう。したがって、本発明の範囲は、本明細書に記載される正確な詳細及び構造に限定されるべきではなく、特許請求の範囲の文言によって記載される構造、及びそれらの構造の等価物によって限定されるべきである。本発明の実施態様の一部を以下の項目［１］−［２４］に記載する。
［１］
組成物を分注する装置であって、
内側先細状漏斗部分を備える先端部と、
先細状外表面部分、内表面、開放前端、及び前記前端とは反対側の開放後端を含む中空筒と、
ピストンと、を備え、
前記筒の前記先細状外表面部分が、前記先端部の前記内側先細状漏斗部分と整列すると共に解放可能に係合しており、前記ピストンが前記筒と摺動係合している、装置。
［２］
前記先端部の前記内側先細状漏斗部分が円錐状表面を含む、項目１に記載の装置。
［３］
前記筒の前記先細状外表面部分が円錐状表面を含む、項目２に記載の装置。
［４］
前記筒の前記先細状外表面部分の前記円錐状表面が、前記先端部の前記内側先細状漏斗部分の前記円錐状表面と整列すると共に解放可能に係合する、項目３に記載の装置。
［５］
前記装置内に歯科用組成物を更に含む、項目１に記載の装置。
［６］
前記ピストンが前記中空筒に対して移動すると、前記歯科用組成物が分注され、前記ピストンが前記中空筒に対して停止すると、前記歯科用組成物は分注されない、項目５に記載の装置。
［７］
前記歯科用組成物が、前記先端部内において前記歯科用組成物中に気泡を本質的に形成することなく前記装置から分注される、項目５に記載の装置。
［８］
前記ピストンが前記中空筒に対して停止された後、前記先端部から歯科用組成物のランオンがない、項目５に記載の装置。
［９］
前記筒がネジ付き部分を含み、前記筒の前記先細状外表面部分及び前記ネジ付き部分が使用後に簡単に消毒される、項目１に記載の装置。
［１０］
前記筒の前記先細状外表面部分が、前記開放前端に隣接する複数の通気溝を含む、項目１に記載の装置。
［１１］
前記複数の通気溝が互いに平行であると共に互いに合致し、前記筒の前記先細状外表面部分の周りで螺旋型を形成する、項目１０に記載の装置。
［１２］
前記先細状外表面が、隣接する通気溝間に台形部分を備える、項目１０に記載の装置。
［１３］
前記複数の通気溝が前記先細状外表面上において螺旋パターンである、項目１０に記載の装置。
［１４］
前記複数の通気溝が台形の断面を有する、項目１０に記載の装置。
［１５］
前記複数の通気溝が、０．００６平方ミリメートルから０．０６平方ミリメートルの範囲の断面積を有する、項目１４に記載の装置。
［１６］
前記溝が、互いから離間している２つ以上の溝付き領域を横切って延在する、項目１０に記載の装置。
［１７］
前記先端部が、前記内側先細状漏斗部分に隣接するドーム部分を更に備え、前記装置が、前記ドーム部分で前記先端部に取り付けられたカニューレを更に備える、項目１に記載の装置。
［１８］
組成物を装置から分注する方法であって、
組成物を分注する装置を提供する工程であって、前記装置が、
内側先細状漏斗部分を備える先端部と、
先細状外表面部分、内表面、開放前端、及び前記前端とは反対側の開放後端を含む中空筒と、
ピストンと、を備え、
前記筒の前記先細状外表面部分が、前記先端部の前記内側先細状漏斗部分と整列すると共に解放可能に係合しており、前記ピストンが前記筒と摺動係合している、工程と、
装置に歯科用組成物を充填する工程と、
前記ピストンを前記中空筒に対して移動させることによって、前記歯科用組成物を分注する工程であって、前記ピストンが前記中空筒に対して移動すると、前記歯科用組成物が分注され、前記ピストンが前記中空筒に対して停止すると、前記歯科用組成物は分注されない、工程と、
を含む、方法。
［１９］
前記分注する工程が、前記先端部内において前記歯科用組成物中に気泡を本質的に形成することなく、前記歯科用組成物を前記装置から分注することを含む、項目１８に記載の方法。
［２０］
前記分注する工程が、前記ピストンが前記中空筒に対して停止された後、前記先端部から歯科用組成物のランオンがないことを含む、項目１８に記載の方法。
［２１］
前記先端部の前記内側先細状漏斗部分が円錐状表面を含み、前記筒の前記先細状外表面部分が円錐状表面を含み、前記筒の前記先細状外表面部分の前記円錐状表面が、前記先端部の前記内側先細状漏斗部分の前記円錐状表面と整列すると共に解放可能に係合する、項目１８に記載の方法。
［２２］
前記筒の前記先細状外表面が前記開放前端に隣接する複数の通気溝を含む、項目１８に記載の方法。
［２３］
前記中空筒がネジ付き部分を含み、前記中空筒の前記先細状外表面部分及び前記ネジ付き部分が使用後に簡単に消毒される、項目１８に記載の方法。
［２４］
組成物を分注する装置であって、
内側先細状漏斗部分及び前記内側先細状漏斗部分に隣接するドーム部分を備え、前記内側先細状漏斗部分が円錐状表面を含む、先端部と、
円錐状表面及び複数の通気溝を含む先細状外表面部分、内表面、開放前端、及び前記前端とは反対側の開放後端を含む中空筒と、
ピストンと、
前記ドーム部分で前記先端部に取り付けられたカニューレと、を備え、
前記筒の前記先細状外表面部分の前記円錐状表面が、前記先端部の前記内側先細状漏斗部分の円錐状表面と整列すると共に解放可能に係合する、装置。
【手続補正２】
【補正対象書類名】特許請求の範囲
【補正対象項目名】全文
【補正方法】変更
【補正の内容】
【特許請求の範囲】
【請求項１】
組成物を分注する装置であって、
内側先細状漏斗部分を備える先端部と、
先細状外表面部分、内表面、開放前端、及び前記前端とは反対側の開放後端を含む中空筒と、
ピストンと、を備え、
前記筒の前記先細状外表面部分が、前記先端部の前記内側先細状漏斗部分と整列すると共に解放可能に係合しており、前記ピストンが前記筒と摺動係合している、装置。
【請求項２】
前記装置内に歯科用組成物を更に含む、請求項１に記載の装置。
【請求項３】
前記ピストンが前記中空筒に対して移動すると、前記歯科用組成物が分注され、前記ピストンが前記中空筒に対して停止すると、前記歯科用組成物は分注されない、請求項２に記載の装置。
【請求項４】
前記歯科用組成物が、前記先端部内において前記歯科用組成物中に気泡を本質的に形成することなく前記装置から分注される、請求項２に記載の装置。
【請求項５】
前記ピストンが前記中空筒に対して停止された後、前記先端部から歯科用組成物のランオンがない、請求項２に記載の装置。
【請求項６】
前記筒がネジ付き部分を含み、前記筒の前記先細状外表面部分及び前記ネジ付き部分が使用後に簡単に消毒される、請求項１に記載の装置。
【請求項７】
組成物を装置から分注する方法であって、
組成物を分注する装置を提供する工程であって、前記装置が、
内側先細状漏斗部分を備える先端部と、
先細状外表面部分、内表面、開放前端、及び前記前端とは反対側の開放後端を含む中空筒と、
ピストンと、を備え、
前記筒の前記先細状外表面部分が、前記先端部の前記内側先細状漏斗部分と整列すると共に解放可能に係合しており、前記ピストンが前記筒と摺動係合している、工程と、
装置に歯科用組成物を充填する工程と、
前記ピストンを前記中空筒に対して移動させることによって、前記歯科用組成物を分注する工程であって、前記ピストンが前記中空筒に対して移動すると、前記歯科用組成物が分注され、前記ピストンが前記中空筒に対して停止すると、前記歯科用組成物は分注されない、工程と、
を含む、方法。
【請求項８】
前記分注する工程が、前記先端部内において前記歯科用組成物中に気泡を本質的に形成することなく、前記歯科用組成物を前記装置から分注することを含む、請求項７に記載の方法。
【請求項９】
前記分注する工程が、前記ピストンが前記中空筒に対して停止された後、前記先端部から歯科用組成物のランオンがないことを含む、請求項７に記載の方法。
【請求項１０】
前記先端部の前記内側先細状漏斗部分が円錐状表面を含み、前記筒の前記先細状外表面部分が円錐状表面を含み、前記筒の前記先細状外表面部分の前記円錐状表面が、前記先端部の前記内側先細状漏斗部分の前記円錐状表面と整列すると共に解放可能に係合する、請求項７に記載の方法。
【請求項１１】
前記中空筒がネジ付き部分を含み、前記中空筒の前記先細状外表面部分及び前記ネジ付き部分が使用後に簡単に消毒される、請求項７に記載の方法。
【請求項１２】
組成物を分注する装置であって、
内側先細状漏斗部分及び前記内側先細状漏斗部分に隣接するドーム部分を備え、前記内側先細状漏斗部分が円錐状表面を含む、先端部と、
円錐状表面及び複数の通気溝を含む先細状外表面部分、内表面、開放前端、及び前記前端とは反対側の開放後端を含む中空筒と、
ピストンと、
前記ドーム部分で前記先端部に取り付けられたカニューレと、を備え、
前記筒の前記先細状外表面部分の前記円錐状表面が、前記先端部の前記内側先細状漏斗部分の円錐状表面と整列すると共に解放可能に係合する、装置。